(57)【要約】【課題】苗ロールのロングマット苗が苗載台の往復横移動の折り返し動作で左右に揺すられた際の幅寸法の縮小を抑制して欠株なしに移植走行することができる苗ロール装填型苗移植機を提供する。【解決手段】苗ロール装填型苗移植機は、所定の幅寸法で長く連続するロングマット苗Ｍをロール状に形成した苗ロールＲを繰出し可能に保持するロールホルダ１０と、そのロングマット苗Ｍを植付用の?取り口を形成した苗受板１４に到達する位置まで繰出しつつその幅寸法に及ぶ範囲の往復横移動によりロングマット苗Ｍの先端を上記?取り口に順次移動する苗載台１１とを備えてロングマット苗Ｍを株分け移植するように構成され、上記苗載台１１には、繰り出されたロングマット苗Ｍの幅寸法を維持するマット苗幅維持手段１６を設けたものである。【選択図】図３
2007244317.tif 000002
【特許請求の範囲】
【請求項１】
所定の幅寸法で長く連続するロングマット苗（Ｍ）をロール状に形成した苗ロール（Ｒ）を繰出し可能に保持するロールホルダ（１０）と、そのロングマット苗（Ｍ）を付設の苗送り手段によって植付用の?取り口を形成した苗受板（１４）に到達する位置まで繰出しつつその幅寸法に及ぶ範囲の往復横移動によりロングマット苗（Ｍ）の先端を上記?取り口に順次移動する苗載台（１１）とを備えてロングマット苗（Ｍ）を株分け移植する苗ロール装填型苗移植機において、
上記苗載台（１１）には、繰り出されたロングマット苗（Ｍ）の幅寸法を維持するマット苗幅維持手段を設けたことを特徴とする苗ロール装填型苗移植機。
【請求項２】
前記苗幅維持手段は、苗受板（１４）の直前位置でロングマット苗（Ｍ）の幅中央位置を苗載台（１１）の底板（１１ｂ）より高く支持する案内支持材（１６ａ）により形成したことを特徴とする請求項１記載の苗ロール装填型苗移植機。
【請求項３】
前記苗幅維持手段は、苗受板（１４）の直前位置でロングマット苗（Ｍ）の幅中央位置を苗載台（１１）の底板（１１ｂ）より高く持ち上げるように苗載台（１１）の底板（１１ｂ）から一部を突出して回転可能な回転体（２１）を設けてなることを特徴とする請求項１記載の苗ロール装填型苗移植機。
【請求項４】
前記苗幅維持手段は、前記苗送り手段としての左右の苗送りベルト（２３，２３）を設け、両者をハの字状に先を開いて配置してなることを特徴とする請求項１記載の苗ロール装填型苗移植機。
【請求項５】
前記苗幅維持手段は、前記苗送り手段としての並列配置の左右の苗送りベルト（２４，２４）を設け、それぞれの表面にロングマット苗（Ｍ）の左右外側部と接触して移送動作によってそれぞれの外側方向に作用する突起（２４ａ，２４ａ）を形成してなることを特徴とする請求項１記載の苗ロール装填型苗移植機。
【請求項６】
前記苗幅維持手段は、ロングマット苗（Ｍ）を外側部ほど移送下手側で押さえる苗押さえ（２５）を設けてなることを特徴とする請求項１記載の苗ロール装填型苗移植機。
【発明の詳細な説明】
【技術分野】
【０００１】
本発明は、ロングマット苗をロール状に形成した苗ロールをロールホルダで苗載台上に繰出し可能に保持し、苗載台の横移動によりロングマット苗を植付用の?取り口まで順次移動して移植走行する苗ロール装填型苗移植機に関するものである。
【背景技術】
【０００２】
特許文献１に記載の苗移植機は、所定の幅寸法で長く連続するロングマット苗をロール状に形成した苗ロールをロールホルダで苗載台上に繰出し可能に保持し、この苗載台が植付用の?取り口を形成した苗受板に到達する位置までそのロングマット苗を繰出しつつ同ロングマット苗の幅寸法に及ぶ範囲の横移動を行い、上記?取り口に臨むロングマット苗からその全幅について植付具が順次株分けして圃場に植付けすることから、苗載台の往復横移動を繰り返すことにより単一のロングマット苗により連続で長行程の移植走行をすることができる。
【０００３】
しかしながら、苗ロールのロングマット苗は、不織布等による容易に変形しうる長い帯状の基材によって形成されることから、苗載台の往復横移動の折り返し動作の際に左右に揺すられることによりその両側縁部に圧縮作用を受けて幅寸法が縮小され、また、水耕栽培による苗ロールのロングマット苗が、苗載台の横移動の際に苗受板に擦られつつ植付具による苗の?取りによってその周辺の苗が?取り口に連れ出されてロングマット苗の幅が縮むので、このロングマット苗がその本来の幅寸法の範囲で苗載台によって横移動したときに欠株を生じる事態を招くことがある。
【特許文献１】特開２００１−７８５２３号公報
【発明の開示】
【発明が解決しようとする課題】
【０００４】
解決しようとする問題点は、苗ロールのロングマット苗が苗載台の往復横移動の折り返し動作で左右に揺すられた際の幅寸法の縮小を抑制して欠株なしに移植走行することができる苗ロール装填型苗移植機を提供することにある。
【課題を解決するための手段】
【０００５】
請求項１に係る発明は、所定の幅寸法で長く連続するロングマット苗（Ｍ）をロール状に形成した苗ロール（Ｒ）を繰出し可能に保持するロールホルダ（１０）と、そのロングマット苗（Ｍ）を付設の苗送り手段によって植付用の?取り口を形成した苗受板（１４）に到達する位置まで繰出しつつその幅寸法に及ぶ範囲の往復横移動によりロングマット苗（Ｍ）の先端を上記?取り口に順次移動する苗載台（１１）とを備えてロングマット苗（Ｍ）を株分け移植する苗ロール装填型苗移植機において、上記苗載台（１１）には、繰り出されたロングマット苗（Ｍ）の幅寸法を維持するマット苗幅維持手段を設けたことを特徴とする。
【０００６】
上記苗ロールはロールホルダに繰出し可能に保持され、そのロングマット苗は苗載台により植付用の?取り口を形成した苗受板に到達する位置まで繰出されるとともに、ロングマット苗の本来の幅寸法に及ぶ範囲の往復横移動によりロングマット苗の先端が上記?取り口に順次移動されることによりロングマット苗が株分け移植され、この時、マット苗幅維持手段によりその幅寸法が維持される。
【０００７】
請求項２に係る発明は、請求項１の構成において、前記苗幅維持手段は、苗受板（１４）の直前位置でロングマット苗（Ｍ）の幅中央位置を苗載台（１１）の底板（１１ｂ）より高く支持する案内支持材（１６ａ）により形成したことを特徴とする。
上記案内支持材により、ロングマット苗が幅中央位置を高くスライド可能に支持されることから、その両外側に延ばされつつ苗受板まで送られる。
【０００８】
請求項３に係る発明は、請求項１の構成において、前記苗幅維持手段は、苗受板（１４）の直前位置でロングマット苗（Ｍ）の幅中央位置を苗載台（１１）の底板（１１ｂ）より高く持ち上げるように苗載台（１１）の底板（１１ｂ）から一部を突出して回転可能な回転体（２１）を設けてなることを特徴とする。
上記回転体により、ロングマット苗が幅中央位置を高く上昇されて左右に延ばされる。
【０００９】
請求項４に係る発明は、請求項１の構成において、前記苗幅維持手段は、前記苗送り手段としての左右の苗送りベルト（２３，２３）を設け、両者をハの字状に先を開いて配置してなることを特徴とする。
上記左右の苗送りベルトにより、苗載台に沿ってロングマット苗が下降すると左右の苗送りベルトの移送力によって左右に拡開される。
【００１０】
請求項５に係る発明は、請求項１の構成において、前記苗幅維持手段は、前記苗送り手段としての並列配置の左右の苗送りベルト（２４，２４）を設け、それぞれの表面にロングマット苗（Ｍ）の左右外側部と接触して移送動作によってそれぞれの外側方向に作用する突起（２４ａ，２４ａ）を形成してなることを特徴とする。
上記突起を形成した左右の苗送りベルトにより、ロングマット苗はその左右外側部がベルト表面の突起によって移送されつつそれぞれの外側方向に作用を受ける。
【００１１】
請求項６に係る発明は、請求項１の構成において、前記苗幅維持手段は、ロングマット苗（Ｍ）を外側部ほど移送下手側で押さえる苗押さえ（２５）を設けてなることを特徴とする。
上記苗押さえにより、ロングマット苗はまず苗押さえの幅中央位置に接触し、移送に連れて押さえ位置が外側部に移動してロングマット苗の幅中央から左右外側へ広げられるように作用を受ける。
【発明の効果】
【００１２】
請求項１の構成により、上記苗ロール装填型苗移植機は、マット苗幅維持手段によりロングマット苗の幅方向の縮みが抑えられて本来の幅寸法が維持されつつ植付用の?取り口を形成した苗受板に到達することから、ロングマット苗の本来の幅寸法に及ぶ範囲の横移動によりその全幅について順次株分けされ、欠株を生じることなく長行程の移植走行をすることができる。
【００１３】
請求項２の案内支持材、請求項３の回転体、請求項４の左右の苗送りベルト、請求項５の左右の苗送りベルトの突起、請求項６の苗押さえにより、簡易な構成で苗幅維持手段を構成することができる。
【発明を実施するための最良の形態】
【００１４】
上記技術思想に基づいて具体的に構成された実施の形態について以下に図面を参照しつつ説明する。
本発明の一実施例である苗移植機の側面図を図１に示す。
この苗移植機１は、左右の操舵輪２、２と左右の後輪３、３とにより４輪駆動可能に走行支持される機体について、ステアリングハンドル４ａ等を有する機体操縦用のステアリングポスト４と、このステアリングポスト４に臨む運転席４ｂが配置され、この運転席４ｂの下側に苗移植機の各部に動力を供給するエンジン５が搭載され、これらステアリングポスト４および運転席４ｂの基部にステップフロア６を設け、その後端部は後輪３のフェンダーカバーを兼ねる。また、機体後部には、苗ロールＲを装着することによりそのロングマット苗を機体走行と連動して植付け走行する植付部７を平行リンク機構７ａを介して昇降可能に設ける。なお、本明細書では苗移植機１の前進側を向いて左方向、右方向をそれぞれ左側、右側という。
【００１５】
植付部７は、その拡大側面図を図２に示すように、エンジン５から動力を受ける伝動ケース７ｂを中心に構成され、ロングマット苗をロール状に形成した苗ロールＲの巻取芯Ｃを両外側から保持するロールホルダ１０を備えてそのロングマット苗を案内移送する植付条数分の傾斜路からなる苗載台１１、所定の周回軌跡Ｔに沿って一株分の苗を?取って土中に植込む植付装置１２、圃場の苗植付面を整地するフロート１３等から構成される。
【００１６】
苗ロールＲは、苗載台１１の案内幅に適合する幅寸法でその案内長さより長く連続するロングマット苗Ｍを巻取芯Ｃに巻き付けてロール状に形成したものである。ロールホルダ１０は、苗ロールＲのロングマット苗Ｍを繰出し可能に苗載台１１に保持し、同苗載台１１に対して着脱可能に構成する。
【００１７】
苗載台１１は、ロングマット苗Ｍを傾斜路に沿って移送する苗送りベルト１５による苗送り手段を備えるとともに後述のマット苗幅維持手段を付設し、その下端にはロングマット苗Ｍの先端を受ける?取り口付きの苗受板１４を備え、この苗受板１４まで苗ロールＲのロングマット苗Ｍを案内する。この苗載台１１を横移動可能に構成し、苗ロールＲの幅寸法と等しい範囲で機体幅方向に往復駆動することにより、苗受板１４の不図示の?取り口から植付装置１２がロングマット苗Ｍの全幅について順次株分け可能に構成する。
【００１８】
マット苗幅維持手段は、苗載台１１に繰り出されて苗受板１４まで移送されるロングマット苗Ｍの幅寸法を維持するためのものである。その具体的な構成を６条植えの苗載台１１について適用した苗載台の側面図、その要部Ａ矢視図、要部Ｂ矢視図（ａ〜ｃ）を図３に示す。
【００１９】
苗載台１１の傾斜路は、各条についてロングマット苗Ｍをスライド可能に支持する底板１１ｂとその両側に立ち上がってマット苗を案内する左右の仕切部１１ｓ、１１ｓとから構成する。傾斜路には、苗受板１４の近傍にロングマット苗Ｍを移送する左右の苗送りベルト１５、１５を設ける。
【００２０】
マット苗幅維持手段は、苗受板１４の直前位置に断面が山形に盛り上がってその両側に形成される傾斜面によりロングマット苗Ｍをスライド可能に支持する案内支持材１６ａによって形成する。この案内支持材１６ａの入口側は、ロングマット苗Ｍをスムーズに案内するために、苗載台１１の傾斜路を進むに連れてその幅中央位置で底板１１ｂから次第に高まる形状に構成する。
【００２１】
このように上記案内支持材１６ａによってマット苗幅維持手段を構成することにより、ロングマット苗Ｍが苗受板１４まで送られる際にその幅中央から山形の傾斜面に沿って左右に開くように延ばされることから苗受板１４の位置では当初のロングマット苗Ｍの幅寸法が維持されるので、植付装置１２によってロングマット苗Ｍの全幅について順次株分けされ、欠株を生じることなく植付けすることができる。
【００２２】
この場合において、上記マット苗幅維持手段１６ａに代えて伝動機構の部品交換によって苗載台の横移動量を苗ロールのロングマット苗の縮小幅に合わせることが可能であるが、一般の個別補充用の箱形マット苗と共用できないという問題があり、これに対して上述の如くのマット苗幅維持手段１６ａを設けることにより、両タイプのマット苗を圃場により使い分けて苗移植機の機動的な運用が可能となる。
【００２３】
（別構成例）
次に、別構成のマット苗幅維持手段について説明する。
マット苗幅維持手段は、苗載台の第１の別構成例について、要部拡大による側面図、そのＡ、Ｂ矢視図（ａ〜ｃ）を図４に示すように、苗載台１１の傾斜路を通過するロングマット苗Ｍの中央を持ち上げるように植付条別に底板１１ｂから一部を突出して回転可能な回転体２１とその両側位置でロングマット苗Ｍの両側を移送する左右の苗送りベルト１５、１５を設けて構成する。これら左右の苗送りベルト１５、１５の表面には、ロングマット苗Ｍの底面を滑ることなく捉える複数の突起１５ａ…を形成し、これら複数の突起１５ａ…はロングマット苗Ｍを両側に広げるようにハの字状に配列して構成する。
【００２４】
上記構成により、苗載台１１の傾斜路に沿ってロングマット苗Ｍが下降すると左右の苗送りベルト１５、１５の複数の突起１５ａ…に捉えられつつ中央部がリフトローラ２１によりその高さまで上昇されて左右にロングマット苗Ｍが延ばされることから、苗受板１４位置では当初のマット苗幅が維持される。
【００２５】
また、マット苗幅維持手段は、苗載台の第２の別構成例について、要部斜視図、側面図、その要部Ａ矢視図（ａ〜ｃ）を図５に示すように、左右の苗送りベルト１５、１５の下方で苗受板１４の直前位置にロングマット苗Ｍを左右に引っ張るように横方向に動く左右の横送りベルト２２，２２を設けて構成する。これら左右の横送りベルト２２，２２は、左右の苗送りベルト１５、１５からベベルギヤ等による伝動系２２ｔを介してローラー軸間を連結し、連動動作可能に構成する。
【００２６】
上記構成により、苗載台１１の傾斜路に沿ってロングマット苗Ｍが下降すると左右の横送りベルト２２，２２を横切る際にロングマット苗Ｍが左右に引っ張られることから苗受板１４位置では当初のマット苗幅が維持される。
【００２７】
また、マット苗幅維持手段は、苗載台の第３の別構成例について、側面図、そのＡ矢視図（ａ、ｂ）を図６に示すように、苗載台１１の下部において、ロングマット苗Ｍを拡開しつつ移送するように左右の苗送りベルト２３，２３をハの字状に先を開いて配置して構成する。
【００２８】
上記構成により、苗載台１１に沿ってロングマット苗Ｍが下降すると左右の苗送りベルト２３，２３の移送力によって左右に拡開されることから苗受板１４位置では当初のマット苗幅が維持される。
【００２９】
また、マット苗幅維持手段は、苗載台の第４の別構成例について、側面図、その要部Ａ矢視図、要部斜視図（ａ〜ｃ）を図７に示すように、苗載台１１の下部において、ロングマット苗Ｍを移送する所定の突起２４ａ，２４ｂを表面に形成した左右の苗送りベルト２４，２４を並列して配置する。これら左右の苗送りベルト２４，２４の突起２４ａ，２４ｂは、ロングマット苗Ｍの両外側位置で接する突起２４ａ，２４ａがロングマット苗Ｍを拡開するように、外側に向けて形成する。
【００３０】
上記構成により、苗載台１１に沿ってロングマット苗Ｍが下降すると左右の苗送りベルト２４，２４の両外側の突起２４ａ，２４ａにより拡開作用を受けることから苗受板１４位置では当初のマット苗幅が維持される。
【００３１】
また、マット苗幅維持手段は、苗載台の第５の別構成例について、側面図、その要部Ａ矢視図（ａ、ｂ）を図８に示すように、苗載台１１の傾斜路下部において、苗受板１４の直前位置にロングマット苗Ｍを外側部ほど移送下手側で押さえる苗押さえ２５を設けることによりマット苗幅維持手段を構成する。この苗押さえ２５により、ロングマット苗Ｍはまず苗押さえ２５の幅中央位置に接触し、移送に連れて押さえ位置が外側部に移動することから、ロングマット苗Ｍはその幅中央から左右外側へ広げられるように作用を受けて当初のマット苗幅が維持される。
【００３２】
（装着作業補助）
次に、苗ロール装着作業補助に関する苗載台のロールホルダの構成について説明する。
苗移植機の植付け作業において、苗載台１１に新たな苗ロールＲを装着する際は、従来は、苗ロールＲの巻取り中心に合うように片手でロールホルダ１０を保持しつつ他方の手で凡そ１０ｋｇの重量の苗ロールＲを装着するという作業負担を強いられていたことから、その負担軽減のために苗ロールＲの装着のためにロールホルダの一時支持装置を苗載台に設けたものである。
【００３３】
その具体的な構成は、苗載台の第６の別構成例として、装着前状態の側面図とその要部Ａ矢視図（ａ、ｂ）を図９に示すように、苗載台１１に対して回動可能にロールホルダ１０の支軸１０ｂを支持し、その回動操作のためのハンドル１０ｈを設けるとともに、苗載台１１に連結したばね鋼製のフック３１を受けてロールホルダ１０を所定高さに保持するアーム１０ａを設ける。
【００３４】
苗ロールＲの装着の際は、使用状態の側面図を同図（ｃ）に示すように、ハンドル１０ｈの操作によってロールホルダ１０を上方に回動し、フック３１をアーム１０ａに掛止することによってロールホルダ１０が苗ロールＲの装着高さ位置に浮いたように掛止保持される。この状態で苗ロールＲをロールホルダ１０の装着口１０ｒに容易に装着することができる。
【００３５】
（苗送り補正）
次に、ロングマット苗Ｍの終端部の苗送りのためのロールホルダ移動装置について説明する。
ロールホルダ移動装置３２は、苗載台の第７の別構成例として、移動動作の前後を２条に併記した斜視図を図１０に示すように、ロールホルダに移動装置３２を設ける。すなわち、ロールホルダ１０の基部に延長部３２ｓを連結し、この延長部３２ｓを上段と下段の２ポジションに選択保持可能な左右のポジションガイド３２ｐ、３２ｐを苗載台１１に設け、そのシフト操作のための握り３２ｈを延長部３２ｓに取付けて構成する。
【００３６】
通常時は、苗ロールＲの装着時を含め、図の右条側のように、延長部３２ｓを上段位置として使用する。苗ロールＲからロングマット苗Ｍが終端まで繰り出されてロングマット苗Ｍの巻き部分が無くなった場合は、それまで苗ロールＲに巻き付いていたロングマット苗Ｍが苗ロールＲから切り離されて同苗ロールＲによる苗押さえ作用が無くなることから、植付け性能に支障を来たさないように、図の左条側のように、握り３２ｈを持って延長部３２ｓを下段位置に移動操作することにより、ロールホルダ１０をワンタッチで延長するように移動できる。したがって、特段の押さえ手段を要することなく、塩ビパイプ等によって構成した巻取芯Ｃによって残りのロングマット苗Ｍの苗押さえを兼用することができる。
【００３７】
また、ロールホルダ移動装置は、苗載台の第８の別構成例として、側面図、その要部Ａ矢視図、要部拡大図（ａ〜ｃ）を図１１に示すように、ロールホルダ１０の支軸１０ｂの取付穴を長穴に形成した左右の支持ガイド３３ｇ、３３ｇと、その長穴の範囲でロールホルダ１０を移動する高さ調節レバー３３ｈにポジションホルダ３３ｐを備えて好きな位置で止められるように構成する。
【００３８】
上記ロールホルダの移動装置３３は、ロールホルダ１０の高さを下げることにより、苗ロールＲのロングマット苗Ｍが減って巻取芯Ｃから離れた後も、苗を苗送りベルトに押し付けられることから、苗を押さえる力が無くなって移送ベルトによる苗送りが不完全となる事態を回避することができる。
【００３９】
（ロールホルダ支持部）
次に、ロールホルダを苗載台に取付けるための支持部について説明する。
苗載台の第９の別構成例として、側面図、そのＡ矢視図、要部拡大図（ａ〜ｃ）を図１２に示すように、苗載台１１には、ロールホルダ１０の支軸１０ｂを傾斜に沿って所定位置まで案内する左右の案内支持材３４，３４を設ける。これら案内支持材３４，３４により、少々横にずれて差し込んでも、ロールホルダ１０を各条の中心位置に装着することができる。
【００４０】
また、苗載台の第１０の別構成例（６条植え）として、側面図、そのＡ矢視図（ａ、ｂ）を図１３に示すように、苗載台１１には、隣接するロールホルダ１０の支軸１０ｂをずらして受ける左右の支持材３５，３５を設ける。条間３０ｃｍ仕様では、苗タンクフェンスとなる仕切部１１ｓの幅が２０ｍｍしかないので、従来のものは隣接のロールホルダ１０の支軸１０ｂが干渉しないように、引っ掛ける位置が薄く限られて作業が困難であったが、上記支持材３５，３５により、隣接のロールホルダ１０の支軸１０ｂの出っ張りを大きくとっても干渉しないので、ゆとりをもって装着操作することができる。
【００４１】
この場合において、苗載台１１には、隣接するロールホルダ１０の支軸１０ｂをずらし、かつ、機体の左右対称に構成する。このように構成することにより、機体の左右のバランスを均一にすることができる。
【００４２】
また、通常の箱形マット苗は、苗が減っても苗送りベルトへの面圧は変わらないが、苗ロールによる苗供給については、苗送りベルトの一線上に苗ロールの荷重が掛かり、苗を掻き取って残りの苗ロールが小さくなるほど軽くなることから、苗が減るほど面圧が減ることとなり、苗送り力が減って送り量が減ってしまう可能性があった。
【００４３】
その解決のために、苗載台の第１１の別構成例として、側面図とそのＡ矢視図（ａ、ｂ）を図１４に示すように、苗載台１１に磁石４１を取付け、ロールホルダ１０の苗ロール側が下がるほど、磁石４１に引っ張られて苗移送ベルト１５，１５側に苗を押し付ける荷重を増やすように構成する。
【００４４】
同様に、苗ロールＲを苗送りベルト１５，１５へ押し付けるような方向にスプリングで引っ張るようにし、そのスプリングの力を苗ロールがまだ大きいうちは弱く、苗ロールを使っていって小さくなって苗ロールＲの荷重が減るほどスプリングの力を強くなるようにして、苗の残り重量が変化しても、常に移送ベルトへの押し付け荷重が変わらないように構成する。
上記のように構成することにより、苗の残り量に関係なく、一定の送り量が確保できる。
【００４５】
（苗ロールの取扱い）
次に、苗ロールのセット作業について説明すると、苗ロールＲをロールホルダ１０にセットする作業においては、苗ロールＲは大きくて又重たく持ち運びがしにくいので、植付け途中でロングマット苗Ｍが無くなった場合に苗ロールＲを苗載台１１まで運ぶのが大変であった。
【００４６】
上記問題を解決するために、苗載台の第１２の別構成例についての側面図とそのＡ矢視図（ａ、ｂ）を図１５示すように、植付部の前部に補助苗ロールＲをセットしておくための苗ロール受け５７を苗載台１１上部に設ける。この苗ロール受け５７により、苗載台１１のロングマット苗が無くなっても直ぐに交換することができる。
【００４７】
また、苗ロールＲのセット作業に際しては、苗ロール置場５３の苗ロールＲを苗載台１１上のロールホルダ１０に直接に装着することができないので一旦どこかに置く必要があり、従来はそのための場所が無いので畦畔側でやらざるを得なかった。
【００４８】
この問題を解決するために、苗移植機の別構成例の要部斜視図を図１６に示すように、走行本体部の前部には平板５１にポール５２…を起立して苗ロールＲの２段積みが可能な苗ロール置場（苗ロール置きポール）５３を設け、苗載台１１には苗ロール置台５４を設け、また、植付部７を回り込むようにラウンドステップ５６を設ける。
【００４９】
苗ロール置台５４は施肥タンク５５後方で苗ロールＲ使用時には空きスペースとなる苗載台１１の上部１／３の部分に設ける。ラウンドステップ５６は、苗移植機の別構成例の正面図、側面図、平面図（ａ〜ｃ）を図１７に示すように、植付部７の最後部とその周辺に及ぶ歩行用のステップであり、植付部７の後方のリヤステップ５６ｒと走行本体部のステップ６とを機体側方の通路ステップ５６ｓで結んで構成する。
【００５０】
上記苗ロール置台５４により、苗補給時期に達したら、オペレータは、ラウンドステップ５６に降りる前に、苗ロール置場５３にある苗ロールＲを苗載台１１上の苗ロール置台５４に全条分を一旦置き、その後、ラウンドステップ５６に降りて塩ビパイプ等による巻取芯を外し、苗載台１１の苗ロールＲを取出してロールホルダ１０に取付けることができる。
【００５１】
また、苗ロールＲのセット作業に際し、オペレータ席から苗ロールＲをロールホルダ１０にセットすることができず植付部７からに限られており、その場合でも圃場の中に降りてやるのは困難であったが、植付部７の最後部にラウンドステップ５６を設けたので、圃場の中で苗補給する際は、上記ラウンドステップ５６を使用することにより、圃場に降りずに苗ロールＲをロールホルダ１０にセットすることができる。
【００５２】
また、圃場の途中で苗ロールＲをセットし直す場合は、植付部７の後方からしか苗ロールＲを苗載台１１に載せることができないので、オペレータが圃場の中に降りなければならなかったが、上記ラウンドステップ５６により、圃場に降りずに靴に泥が付かないで苗ロールＲをセットし直すことができる。
【図面の簡単な説明】
【００５３】
【図１】苗移植機の側面図である。
【図２】植付部の拡大側面図である。
【図３】苗載台の構成例の側面図とその要部Ａ、Ｂ矢視図（ａ〜ｃ）である。
【図４】別構成例１の要部拡大による側面図、そのＡ、Ｂ矢視図（ａ〜ｃ）である。
【図５】別構成例２の要部斜視図、側面図、その要部Ａ矢視図（ａ〜ｃ）である。
【図６】別構成例３の側面図とそのＡ矢視図（ａ、ｂ）である。
【図７】別構成例４の側面図、その要部Ａ矢視図、要部斜視図（ａ〜ｃ）である。
【図８】別構成例５の側面図とそのＡ矢視図（ａ、ｂ）である。
【図９】別構成例６の側面図、そのＡ矢視図、使用状態の側面図（ａ〜ｃ）である。
【図１０】別構成例７の動作前後を２条に併記した斜視図である。
【図１１】別構成例８の側面図、そのＡ矢視図、要部拡大図（ａ〜ｃ）である。
【図１２】別構成例９の側面図とそのＡ矢視図（ａ、ｂ）である。
【図１３】別構成例１０の側面図とそのＡ矢視図（ａ、ｂ）である。
【図１４】別構成例１１の側面図とそのＡ矢視図（ａ、ｂ）である。
【図１５】別構成例１２の側面図とそのＡ矢視図（ａ、ｂ）である。
【図１６】苗移植機の別構成例の要部斜視図である。
【図１７】苗移植機の別構成例の正面図、側面図、平面図（ａ〜ｃ）である。
【符号の説明】
【００５４】
１    苗移植機
７    植付部
１０    ロールホルダ
１１    苗載台
１１ｓ    仕切部
１１ｂ    底板
１２    植付装置
１４    苗受板
１５    苗送りベルト
１５ａ    突起
１６ａ    案内支持材（マット苗幅維持手段）
２１    回転体（マット苗幅維持手段）
２２    横送りベルト（マット苗幅維持手段）
２３    苗送りベルト（マット苗幅維持手段）
２４    苗送りベルト
２４ａ    突起（マット苗幅維持手段）
２５    苗押さえ（マット苗幅維持手段）
Ｃ    巻取芯
Ｍ    ロングマット苗
Ｒ    苗ロール
【図１】
2007244317.tif 000003
【図２】
2007244317.tif 000004
【図３】
2007244317.tif 000005
【図４】
2007244317.tif 000006
【図５】
2007244317.tif 000007
【図６】
2007244317.tif 000008
【図７】
2007244317.tif 000009
【図８】
2007244317.tif 000010
【図９】
2007244317.tif 000011
【図１０】
2007244317.tif 000012
【図１１】
2007244317.tif 000013
【図１２】
2007244317.tif 000014
【図１３】
2007244317.tif 000015
【図１４】
2007244317.tif 000016
【図１５】
2007244317.tif 000017
【図１６】
2007244317.tif 000018
【図１７】
2007244317.tif 000019